(57)【特許請求の範囲】
【請求項１】
管理サーバ装置と、前記管理サーバ装置から送信される表示情報に基づいて管理対象の物品に対応付けて情報表示を行う情報表示装置とを備える情報表示システムであって、
前記情報表示装置は、
自己の姿勢状態を検出する姿勢センサと、
前記姿勢センサの出力に基づいて、自己の姿勢状態を判定する姿勢判定部と、
前記姿勢判定部おいて判定された自己の姿勢状態を示す姿勢情報を前記管理サーバ装置へ送信する送信部とを備え、
前記管理サーバ装置は、
前記物品の管理情報を記憶する情報記憶部と、
前記情報表示装置から送信された前記姿勢情報に基づき、前記情報記憶部に記憶されている前記物品の管理情報を更新する情報更新部とを備え、
前記更新する管理情報は、前記物品が欠品状態であることを示す欠品情報である
ことを特徴とする情報表示システム。
【請求項２】
管理サーバ装置と、前記管理サーバ装置から送信される表示情報に基づいて管理対象の物品に対応付けて情報表示を行う情報表示装置とを備える情報表示システムであって、
前記情報表示装置は、
自己の姿勢状態を検出する姿勢センサと、
前記姿勢センサにより検出した姿勢状態情報を前記管理サーバ装置へ送信する送信部とを備え、
前記管理サーバ装置は、
前記物品の管理情報を記憶する情報記憶部と、
前記情報表示装置から送信された姿勢状態情報に基づいて、前記情報表示装置の姿勢状態を判定する姿勢判定部と、
前記姿勢判定部おいて判定された前記情報表示装置の姿勢状態を示す姿勢情報に基づき、前記情報記憶部に記憶されている前記物品の管理情報を更新する情報更新部とを備え、
前記更新する管理情報は、前記物品が欠品状態であることを示す欠品情報である
ことを特徴とする情報表示システム。
【請求項３】
前記管理サーバ装置は、
前記情報表示装置から送信された前記姿勢情報に基づき、前記情報表示装置において表示するべき画面情報を生成して、前記情報表示装置へ送信する画面情報送信部をさらに備え、
前記情報表示装置は、
前記画面情報送信部から送信された前記画面情報を受信して表示する画面表示部をさらに備える
ことを特徴とする請求項１または２に記載の情報表示システム。
【請求項４】
前記情報表示装置は、前記物品が欠品状態が発生した場合に、自己の動作モードを変更する
ことを特徴とする請求項１から３のいずれかに記載の情報表示システム。
【請求項５】
管理サーバ装置と、前記管理サーバ装置から送信される表示情報に基づいて管理対象の物品に対応付けて情報表示を行う情報表示装置とを備える情報表示システムにおける前記管理サーバ装置であって、
前記物品の管理情報を記憶する情報記憶部と、
前記情報表示装置から送信された姿勢情報に基づき、前記情報記憶部に記憶されている前記物品の管理情報を更新する情報更新部とを備え、
前記更新する管理情報は、前記物品が欠品状態であることを示す欠品情報である
ことを特徴とする管理サーバ装置。
【請求項６】
管理サーバ装置と、前記管理サーバ装置から送信される表示情報に基づいて管理対象の物品に対応付けて情報表示を行う情報表示装置とを備える情報表示システムにおける前記管理サーバ装置であって、
前記物品の管理情報を記憶する情報記憶部と、
前記情報表示装置から送信された姿勢状態情報に基づいて、前記情報表示装置の姿勢状態を判定する姿勢判定部と、
前記姿勢判定部おいて判定された前記情報表示装置の姿勢状態を示す姿勢情報に基づき、前記情報記憶部に記憶されている前記物品の管理情報を更新する情報更新部とを備え、
前記更新する管理情報は、前記物品が欠品状態であることを示す欠品情報である
ことを特徴とする管理サーバ装置。
【請求項７】
前記管理サーバ装置は、
前記情報表示装置から送信された前記姿勢情報に基づき、前記情報表示装置において表示するべき画面情報を生成して、前記情報表示装置へ送信する画面情報送信部をさらに備える
ことを特徴とする請求項５または６に記載の管理サーバ装置。
【発明の詳細な説明】
【技術分野】
【０００１】
本発明は、情報表示システム、情報表示装置、管理サーバ装置及び電子棚札に関する。
【背景技術】
【０００２】
情報表示装置は、仕分けされた物の近傍にそれぞれ配置して、その物の名称やその物に係る情報を提供する目的で利用される。このような情報表示装置を利用する一形態に電子棚札がある。電子棚札は、表示する情報を変更する際に棚札を付け替える労力を軽減すること等を目的として、商品の名称や価格等を表示して、スーパーマーケットなどの販売店で利用される。複数の電子棚札は、表示する情報を一元的に管理する管理サーバ装置によって表示が切り換えられる。複数の電子棚札と、管理サーバ装置とを含んだ電子棚札管理システム（情報表示システム）は、各電子棚札の表示を一元的に管理することができる。電子棚札管理システムが適用された販売店では、電子棚札は売り場に配置され、管理サーバ装置は一般的にバックヤードに配置される。
【０００３】
電子棚札が配置された売り場で行う作業により、電子棚札に表示する情報を切り換えられる電子棚札管理システムがある。電子棚札に表示する情報の切り換えは、電子棚札を操作する画面切替用リモコン装置を操作することによって行われる。この画面切替用リモコン装置を操作することにより、電子棚札装置を管理する管理サーバ装置を直接操作することなく、電子棚札に表示する情報を切り換えることができる（例えば、特許文献１参照）。
【０００４】
また、電子棚札が表示する画像データを変更することで、商品データとしての文字の文字方向を画面上において９０度回転することができる電子棚札システムが知られている（例えば、特許文献２参照）。これは、電子棚札の配置方向を横配置と縦配置とで変更した場合でも、この電子棚札に表示する文字の文字方向を回転させることで、その文字を言語として正常な向きに配置させることができ、同一の電子棚札を横配置と縦配置との双方で使用できることになり、電子棚札の汎用性を大幅に高めることができるものである。
【先行技術文献】
【特許文献】
【０００５】
【特許文献１】特許第３６０３７７８号公報
【特許文献２】特開２００６−２３０５６６号公報
【発明の概要】
【発明が解決しようとする課題】
【０００６】
しかしながら、従来技術による電子棚札にあっては、情報表示装置（電子棚札）自身が入力装置を備えていないため、棚に陳列している商品の欠品状態が発生しても店員等が情報表示装置を管理するサーバ装置に対して、欠品状態になっていることを通知することができず、サーバ装置が欠品状態を即座に把握することができないという問題がある。
【０００７】
本発明は、このような事情に鑑みてなされたもので、情報を表示する装置から情報表示装置を管理するサーバ装置へ簡単な操作で情報表示装置が管理する物品の管理情報を通知することができる情報表示システム、情報表示装置、管理サーバ装置及び電子棚札を提供することを目的とする。
【課題を解決するための手段】
【０００８】
本発明は、管理サーバ装置と、前記管理サーバ装置から送信される表示情報に基づいて管理対象の物品に対応付けて情報表示を行う情報表示装置とを備える情報表示システムであって、前記情報表示装置は、自己の姿勢状態を検出する姿勢センサと、前記姿勢センサの出力に基づいて、自己の姿勢状態を判定する姿勢判定部と、前記姿勢判定部おいて判定された自己の姿勢状態を示す姿勢情報を前記管理サーバ装置へ送信する送信部とを備え、前記管理サーバ装置は、前記物品の管理情報を記憶する情報記憶部と、前記情報表示装置から送信された前記姿勢情報に基づき、前記情報記憶部に記憶されている前記物品の管理情報を更新する情報更新部とを備えることを特徴とする。
【０００９】
本発明は、管理サーバ装置と、前記管理サーバ装置から送信される表示情報に基づいて管理対象の物品に対応付けて情報表示を行う情報表示装置とを備える情報表示システムであって、前記情報表示装置は、自己の姿勢状態を検出する姿勢センサと、前記姿勢センサにより検出した姿勢状態情報を前記管理サーバ装置へ送信する送信部とを備え、前記管理サーバ装置は、前記物品の管理情報を記憶する情報記憶部と、前記情報表示装置から送信された姿勢状態情報に基づいて、前記情報表示装置の姿勢状態を判定する姿勢判定部と、前記姿勢判定部おいて判定された前記情報表示装置の姿勢状態を示す姿勢情報に基づき、前記情報記憶部に記憶されている前記物品の管理情報を更新する情報更新部とを備えることを特徴とする。
【００１０】
本発明は、前記管理サーバ装置は、前記情報表示装置から送信された前記姿勢情報に基づき、前記情報表示装置において表示するべき画面情報を生成して、前記情報表示装置へ送信する画面情報送信部をさらに備え、前記情報表示装置は、前記画面情報送信部から送信された前記画面情報を受信して表示する画面表示部をさらに備えることを特徴とする。
【００１１】
本発明は、前記更新する管理情報は、前記物品が欠品状態であることを示す欠品情報であることを特徴とする。
【００１２】
本発明は、前記情報表示装置は、前記物品が欠品状態が発生した場合に、自己の動作モードを変更することを特徴とする。
【００１３】
本発明は、管理サーバ装置と、前記管理サーバ装置から送信される表示情報に基づいて管理対象の物品に対応付けて情報表示を行う情報表示装置とを備える情報表示システムにおける前記情報表示装置であって、自己の姿勢状態を検出する姿勢センサと、前記姿勢センサの出力に基づいて、自己の姿勢状態を判定する姿勢判定部と、前記姿勢判定部おいて判定された自己の姿勢状態を示す姿勢情報を前記管理サーバ装置へ送信する送信部とを備えることを特徴とする。
【００１４】
本発明は、管理サーバ装置と、前記管理サーバ装置から送信される表示情報に基づいて管理対象の物品に対応付けて情報表示を行う情報表示装置とを備える情報表示システムにおける前記情報表示装置であって、自己の姿勢状態を検出する姿勢センサと、前記姿勢センサにより検出した姿勢状態情報を前記管理サーバ装置へ送信する送信部とを備えることを特徴とする。
【００１５】
本発明は、前記情報表示装置は、前記管理サーバ装置から送信された画面情報を受信して表示する画面表示部をさらに備えることを特徴とする。
【００１６】
本発明は、管理サーバ装置と、前記管理サーバ装置から送信される表示情報に基づいて管理対象の物品に対応付けて情報表示を行う情報表示装置とを備える情報表示システムにおける前記管理サーバ装置であって、前記物品の管理情報を記憶する情報記憶部と、前記情報表示装置から送信された姿勢情報に基づき、前記情報記憶部に記憶されている前記物品の管理情報を更新する情報更新部とを備えることを特徴とする。
【００１７】
本発明は、管理サーバ装置と、前記管理サーバ装置から送信される表示情報に基づいて管理対象の物品に対応付けて情報表示を行う情報表示装置とを備える情報表示システムにおける前記管理サーバ装置であって、前記物品の管理情報を記憶する情報記憶部と、前記情報表示装置から送信された姿勢状態情報に基づいて、前記情報表示装置の姿勢状態を判定する姿勢判定部と、前記姿勢判定部おいて判定された前記情報表示装置の姿勢状態を示す姿勢情報に基づき、前記情報記憶部に記憶されている前記物品の管理情報を更新する情報更新部とを備えることを特徴とする。
【００１８】
本発明は、前記管理サーバ装置は、前記情報表示装置から送信された前記姿勢情報に基づき、前記情報表示装置において表示するべき画面情報を生成して、前記情報表示装置へ送信する画面情報送信部をさらに備えることを特徴とする。
【００１９】
本発明は、請求項６から８のいずれかに記載の情報表示装置を備えたことを特徴とする。
【発明の効果】
【００２０】
本発明によれば、姿勢センサにより検出した自己の姿勢状態に基づいて、自己の姿勢状態を判定し、判定された自己の姿勢状態を示す姿勢情報を管理サーバ装置へ送信し、管理サーバ装置において受信した姿勢情報に基づき、情報記憶部に記憶されている物品の管理情報を更新するようにしたため、簡単な操作で情報表示装置から、情報表示装置を管理する管理サーバ装置へ情報表示装置が管理する物品の管理情報を通知することができる。また、管理サーバ装置において、姿勢情報に基づき、情報表示装置において表示するべき画面情報を生成して、情報表示装置へ送信し、情報表示装置において、受信した画面情報に基づいて画面表示を行うようにしたため、情報表示装置を管理する管理サーバ装置へ情報表示装置が管理する物品の管理情報を既に通知したことを確認することが可能になるという効果が得られる。
【図面の簡単な説明】
【００２１】
【図１】本実施形態による情報表示システムの構成を示すブロック図である。
【図２】図１に示す電子棚札１０の構成を示すブロック図である。
【図３】図１に示す電子棚札管理サーバ５０の構成を示すブロック図である。
【図４】同実施形態における記憶部５５に記憶される情報に含まれる商品テーブルのデータ構成及びデータ例を示す概略図である。
【図５】図２に示す電子棚札１０及び図３に示す電子棚札管理サーバ５０の処理動作を示すフローチャートである。
【図６】図２に示す電子棚札１０の姿勢状態に応じたＬＣＤ表示部１３の表示画面の一例を示す図である。
【図７】図２に示す電子棚札１０の姿勢状態に応じたＬＣＤ表示部１３の表示画面の一例を示す図である。
【図８】図２に示す電子棚札１０の姿勢状態に応じたＬＣＤ表示部１３の表示画面の一例を示す図である。
【発明を実施するための形態】
【００２２】
以下、本発明の一実施形態による情報表示システムについて図面を参照して説明する。図１は、本実施形態による情報表示システムを示す概略ブロック図である。この情報表示システム１をスーパーマーケットなどの販売店で利用される電子棚札に適用した形態を例示する。図１に示す情報表示システム１は、ＰＯＳレジスター装置（ＰＯＳレジ）７０が接続されたストアサーバ６０に接続され、電子棚札１０に表示する商品の単品管理情報をストアサーバ６０から取得する。ストアサーバ６０は、商品の単品管理情報として、それぞれの単価情報、在庫情報、売上情報を含んだ情報を管理する。また、ストアサーバ６０は、販売時点管理システムのサーバ機能（ＰＯＳサーバ機能）を備え、売上情報をリアルタイムに集計する。ＰＯＳレジスター装置７０は、販売処理に用いるレジスター端末であり、ストアサーバ６０のＰＯＳサーバ機能に対応して単価情報の更新が行われ、ストアサーバ６０に販売情報を通知する。
【００２３】
情報表示システム１は、複数の電子棚札１０（１０−１〜１０−４）、中継器３０（３０−１、３０−２）、無線ＬＡＮアクセスポイント４０、電子棚札管理サーバ５０及びハンディ端末９０を備える。電子棚札１０は、電子棚札管理サーバ５０から送信された表示情報を受信して、受信した表示情報に応じた表示を行う。
【００２４】
図２は、電子棚札１０を示す概略ブロック図である。電子棚札１０は、無線通信部１１、姿勢センサ１２、ＬＣＤ表示部１３、メモリ１４及びＣＰＵ１５を備える。無線通信部１１は、中継器３０（あるいは無線ＬＡＮアクセスポイント４０）からの電波を受信して、受信情報に変換する。また、無線通信部１１は、供給される送信情報を電波に変換して送信する。姿勢センサ１２は、電子棚札１０自身の姿勢状態を検出する。姿勢センサ１２は、傾きセンサ、加速度センサ、ジャイロセンサなどのセンサから構成し、自己の姿勢状態を検出して出力する。姿勢センサ１２の代わりに、電子棚札１０の姿勢や、所定の取付状態からずらして取り付けるなど、取付状態の変化に応じて切り替わるスイッチを用いても良い。
【００２５】
ＬＣＤ表示部１３は、供給された表示情報を表示する。例えば、ＬＣＤ表示部１３は、記憶型液晶表示回路を備えることにより、表示情報を変更する場合以外の消費電力を低減する。なお、ＬＣＤ表示部１３は、表示部用の照明を設けないことにより省電力化が図れるが、必要に応じて照明を設けてもよい。また、ＬＣＤ表示部１３は、液晶を用いた表示部に限らず、低消費電力の表示パネルであれば何でもよく、例えば、Ｅ−Ｉｎｋなどによる電気泳動方式などでもよい。メモリ１４は、半導体メモリ装置などで構成される記憶部である。メモリ１４は、ＣＰＵ１５が行う各種処理のプログラムや、そのプログラムの実行に必要とされる各種変数、ＬＣＤ表示部１３に表示する表示画面の情報を記憶する。
【００２６】
ＣＰＵ１５は、メモリ１４に記憶された、電子棚札１０を機能させる制御プログラムの手順にしたがった各種処理を実行する。ＣＰＵ１５において実行される各種処理は、通信処理部１５１、姿勢判定部１５２、表示処理部１５３がその各種処理を実行する。通信処理部１５１は、無線通信部１１が変換した受信情報を取得しメモリ１４に記録する。また、通信処理部１５１は、メモリ１４に記録された送信情報を取得して無線通信部１１に供給して送信させる。姿勢判定部１５２は、姿勢センサ１２の検出値に基づいて、自己の姿勢状態が予め決められたいずれの姿勢であるかを判定し、この判定結果の姿勢状態情報をメモリ１４に記録する。記録された姿勢状態情報は、通信処理部１５１によって送信情報として送信される。ただし、通信処理部１５１によって、姿勢状態情報が送信されるタイミングは、姿勢判定部１５２により、直前の姿勢状態判定結果と新たな姿勢状態判定結果が異なる場合のみである。
【００２７】
図１に戻り、中継器３０は、無線ＬＡＮアクセスポイント４０と電子棚札１０との通信を中継する中継装置である。図に示される中継器３０−１と３０−２は、それぞれ電子棚札１０−１、１０−２と１０−３、１０−４に対する通信を中継する。無線ＬＡＮアクセスポイント４０は、電子棚札管理サーバ５０に通信回線で接続され、電子棚札管理サーバ５０から送信された情報を無線ＬＡＮ回線で接続される中継器３０で中継して電子棚札１０に送信する。また、無線ＬＡＮアクセスポイント４０は、電子棚札１０から送信され、中継器３０で中継された情報を受信して電子棚札管理サーバ５０に送信する。
【００２８】
電子棚札管理サーバ５０は、電子棚札１０に表示する情報を生成し、電子棚札１０に向け送信する。電子棚札管理サーバ５０は、電子棚札１０の姿勢判定部１５２において判定された姿勢状態情報を受信して、その情報に応じて表示する情報を生成し、電子棚札１０に向け送信する。電子棚札管理サーバ５０は、電子棚札１０に表示する情報を生成する際に、ストアサーバ６０から取得した情報、及び、予め登録された電子棚札１０の管理情報を参照して、表示する画面情報を生成する。
【００２９】
ハンディ端末９０は、電子棚札１０を取り付ける棚に陳列する商品の商品コードと電子棚札１０を関係付ける登録処理などの操作を行う。ハンディ端末９０は、電子棚札１０に表示される（又は貼り付けられた）バーコードを検出し、検出したバーコードの情報を内部に備える記憶部に記憶して、電子棚札管理サーバ５０に転送する。なお、電子棚札１０に表示される情報は、バーコードに限らず、ＱＲコードのような他の幾何学的な情報であっても良い。
【００３０】
次に、図３を参照し、図１に示す電子棚札管理サーバの構成について説明する。図３は、電子棚札管理サーバの概略構成を示すブロック図である。電子棚札管理サーバ５０は、通信部５１、５２、５３、入出力部５４、記憶部５５及び制御部５６を備える。通信部５１は、ストアサーバ６０に選択的に接続する通信回線を収容する。通信部５２は、無線ＬＡＮアクセスポイント４０に接続する通信回線を収容する。通信部５３は、ハンディ端末９０に接続する通信回線を収容する。入出力部５４は、情報表示システム１に必要とされる情報を登録するための情報入力と情報表示を行う。入出力部５４は、入力された入力情報を変換する。また、入出力部５４は、制御部５６から供給される情報画面を表示する。
【００３１】
記憶部５５は、半導体メモリ及びハードディスクなどにより構成され、制御部５６が行う各種処理のプログラムや、そのプログラムの実行に必要とされる各種変数をはじめ、情報表示システム１に必要とされる情報を各書き換え容易に記憶する。記憶部５５は、通信部５１を介してストアサーバ６０から取得した情報、通信部５２を介して電子棚札１０から取得した情報、通信部５３を介してハンディ端末９０から取得した情報、入出力部５４が変換した情報、及び、画面構成を定めるテンプレート情報を記憶する。制御部５６は、記憶部５５に記憶された、電子棚札管理サーバ５０を機能させるプログラムの手順にしたがった各種処理を実行する。制御部５６は、通信処理部５６１、５６２、５６３、入出力処理部５６４、表示画面生成部５６５が各種処理を実行する。
【００３２】
通信処理部５６１は、通信部５１がストアサーバ６０から取得した情報を記憶部５５に記憶される売上情報テーブルに記録する。また、通信処理部５６１は、記憶部５５に記録された送信情報を取得して通信部５１に供給して送信させる。通信処理部５６２は、通信部５２が無線ＬＡＮアクセスポイント４０を介して取得した情報を記憶部５５に記録する。また、無線通信部５６２は、記憶部５５に記録された画面情報を取得して通信部５２に供給して送信させる。通信処理部５６３は、通信部５３がハンディ端末９０から取得した情報を記憶部５５に記憶される商品テーブルに記録する。また、無線通信部５６３は、記憶部５５に記録された送信情報を取得して通信部５３に供給して送信させる。入出力処理部５６４は、入出力部５４が検出した情報入力に基づいて、情報表示システム１に必要とされる情報を登録するための情報入力と情報表示を行う。また、入出力処理部５６４は、入力された入力情報を変換する。また、入出力部５４は、制御部５６から供給される情報画面を表示する。
【００３３】
表示画面生成部５６５は、記憶部５５に記憶された情報と表示画面のテンプレートを参照し、電子棚札１０の画面をそれぞれ生成する。生成された表示画面の情報は、対応する電子棚札１０と対応付けされて記憶部５５に記録される。
【００３４】
次に、図４を参照して、図３に示す記憶部５５に記憶される情報について説明する。図４は、記憶部５５に記憶される情報に含まれる商品テーブルのデータ構成及びデータ例を示す概略図である。図に示すように、商品テーブルは、行と列からなる２次元の表形式のデータであり、「ＥＳＬ（Electronic shelf label；電子棚札）装置コード」、「商品コード」、「商品名」、「販売価格」、「欠品フラグ」及びその他の表品データ（詳細は省略）の各項目の列を有している。この商品テーブルの主キーは、「ＥＳＬ装置コード」である。商品テーブルの各行は、電子棚札１０（以下、まとめて示す場合は、「ＥＳＬ」という。）ごとに存在する。
【００３５】
「ＥＳＬ装置コード」は、ＥＳＬを一意に識別する識別情報であり、装置ごとに振られた番号である。「商品コード」は、各ＥＳＬに対応付けられた商品を一意に識別する識別情報であり、商品ごとに振られた番号である。「商品名」は、各ＥＳＬに対応付けられた商品の名称である。「販売価格」は、各ＥＳＬに対応付けられた商品の販売価格（単価）である。「欠品フラグ」は、商品売り場の商品陳列棚において商品が欠品状態であるか否かを示すフラグであり、この列に示される値が「１」であればその商品が欠品状態であることを示す。その他の商品データについては、必要に応じて任意のデータを記憶するものであり、例えば、「説明情報」として商品の属性（容量や数量等）などを記憶する。
【００３６】
なお、記憶部５５には、商品テーブルの他に、売上情報テーブルや在庫情報テーブルが記憶される。売上情報テーブルは、販売店で扱う物品についての売上情報を管理する。このテーブルで管理される情報は、ストアサーバ６０から取得するデータである。売上情報テーブルは、行と列からなる２次元の表形式のデータであり、「商品コード」、「商品名称」及び「売上額」の各項目の列を有している。この売上情報テーブルの主キーは、商品コードである。売上情報テーブルの各行は、管理する商品ごとに存在する。「商品コード」は、商品を一意に識別する識別情報である。「売上額」は、毎日の日付に関係付けられた記憶される商品ごとの売上額である。
【００３７】
また、在庫情報テーブルは、販売店で扱う物品についての在庫情報を管理する。このテーブルで管理される情報は、ストアサーバ６０から取得するデータである。在庫情報テーブルは、行と列からなる２次元の表形式のデータであり、「商品コード」、「商品名称」及び「在庫数量」の各項目の列を有している。この在庫情報テーブルの主キーは、商品コードである。在庫情報テーブルの各行は、管理する商品ごとに存在する。「商品コード」は、商品を一意に識別する識別情報である。「在庫数量」は、商品の在庫数である。
【００３８】
ここで、図６を参照し電子棚札１０に表示する表示画面の構成例を示す。図６は、電子棚札１０に表示する通常表示画面を示す。この図に示す画面Ｅ１１０は、電子棚札１０のＬＣＤ表示部１３に表示される画面であり、棚札として用いる場合の通常表示画面である。画面Ｅ１１０には、商品名称Ｅ１１１、バーコードＥ１１２、単価情報Ｅ１１３、説明情報Ｅ１１４が同一の画面に配置される。商品名称Ｅ１１１は、電子棚札１０に対応する商品の商品コードにしたがって生成され、この例では「オレンジジュース」が表示される。バーコードＥ１１２は、商品コードに応じて生成されたバーコードが表示される。このバーコード１１２は、ハンディ端末９０を用いて読み取らせることができる。単価情報Ｅ１１３は、「１５８円」が表示される。説明情報Ｅ１１４は、「５００ｍｌ」が表示される。
【００３９】
通常表示画面の生成では、電子棚札管理サーバ５０における表示画面生成部５６５が、記憶部５５に記憶された商品テーブルを参照して、登録されている電子棚札１０ごとの画面Ｅ１１０を予め定められたテンプレートにしたがって生成する。制御部５６は、生成された画面の情報を、対応する電子棚札１０に送信する。
【００４０】
次に、図５を参照して、図２、図３に示す電子棚札１０、電子棚札管理サーバ５０の処理動作を説明する。図５は、図２に示す電子棚札１０と、図３に示す電子棚札管理サーバ５０の処理動作を示すフローチャートである。最初に、電子棚札管理サーバ５０から電子棚札１０に通常表示画面（価格表示画面）を送信する。電子棚札管理サーバ５０において、制御部５６は、登録対象として選定した電子棚札１０に対し、記憶部５５に記憶されている商品テーブルを「商品コード」をキーとして参照するとともに、テンプレート画面情報に応じて価格表示画面を生成し、対象の電子棚札１０に価格表示画面の情報を送信する。電子棚札１０において、ＣＰＵ１５は、送信された価格表示画面の情報を受信してメモリ１４に記録するとともに、価格表示画面をＬＣＤ表示部１３に表示する（ステップＳ１）。これにより、ＬＣＤ表示部１３には、図６に示す価格表示画面が表示されることになる。
【００４１】
姿勢センサ１２は、常に自己の姿勢状態を検出し、姿勢状態情報を姿勢判定部１５２に対して出力する。姿勢判定部１５２は、予め決められた姿勢状態を示す情報を内部に保持している。例えば、電子棚札１０を表示画面に垂直な軸回りに回転させない通常の姿勢状態（図６に示す状態）、表示画面に垂直な軸回りに９０度回転させた姿勢状態（図８に示す状態）、表示画面に垂直な軸回りに１８０度回転させた姿勢状態（図７に示す状態）等が予め決められており、それぞれの姿勢状態に識別番号等が付与されている。姿勢判定部１５２は、姿勢センサ１２から出力する姿勢状態の検出値に基づいて、予め決められた姿勢状態の中から現在の姿勢状態と一致する姿勢状態を示す識別番号を特定し、この特定した姿勢状態を示す識別番号をメモリ１４に記憶する。そして、特定した姿勢状態を示す識別番号が、メモリ１４に記憶されている識別番号と異なる場合に、姿勢状態の変更が発生したことを検出するとともに、新たな識別番号をメモリ１４に記憶する。
【００４２】
ここで、店員が商品の陳列棚において欠品状態が発生している場合に、欠品状態である商品に対応付けられている電子棚札１０を表示画面に垂直な軸回りに１８０度回転させて棚に取り付ける。このとき、姿勢判定部１５２は、直前の状態（図６に示す状態）から姿勢が変更されたか否かを判定し、変更された場合に姿勢状態が変更されたことを検出する（ステップＳ２）。姿勢判定部１５２は、姿勢状態が変更されたことを検出すると、無線通信部１１を介して、姿勢の変更が行われたこと示す情報を電子棚札管理サーバ５０に送信する（ステップＳ３）。ここで送信する姿勢の変更が行われたこと示す情報には、メモリ１４に予め記憶されている自己のＥＳＬ装置コードが含まれている。
【００４３】
この姿勢の変更が行われたこと示す情報は、通信部５２を介して、制御部５６が受信する（ステップＳ４）。制御部５６は、この情報を受信すると、受信した情報に含まれるＥＳＬ装置コードを抽出し、記憶部５５に記憶されている商品テーブル（図４参照）を参照し、商品テーブル上において、抽出したＥＳＬ装置コードに対応付けられている商品を特定する（ステップＳ５）。そして、制御部５６は、特定した商品の欠品フラグを「１」にすることにより、欠品情報を追加する（ステップＳ６）。
【００４４】
次に、制御部５６は、記憶部５５に記憶されている商品テーブルを参照して、特定した商品の「商品コード」をキーとして、テンプレート画面情報に応じて生成した価格表示画面のバーコード部分に２本の取消線（図７に示す取消線Ｅ１１５）を引いた状態の価格表示画面（欠品画面）の画像を生成して（ステップＳ７）、姿勢変更が行われた電子棚札に対して、生成した価格表示画面（欠品画面）の画像情報を送信する（ステップＳ８）。電子棚札１０において、ＣＰＵ１５は、送信された価格表示画面の画像情報を受信して（ステップＳ９）、メモリ１４に記録するとともに、価格表示画面をＬＣＤ表示部１３に表示する（ステップＳ１０）。これにより、ＬＣＤ表示部１３には、図７に示す価格表示画面が表示されることになる。バーコード部分には、２本の取消線Ｅ１１５が引かれており、ハンディ端末９０により、この電子棚札１０のバーコードを読み取ることはできなくなるため、注文操作等を行うことを抑止することができる。
【００４５】
なお、欠品状態が解消した場合、店員が、電子棚札１０を元の状態（表示画面が回転していない状態）に戻すと、上記の処理動作が行われることにより、姿勢判定が行われて電子棚札１０の姿勢が元に戻ったことを検出することができるので、欠品フラグを「０」に戻すことができる。
【００４６】
このように、商品陳列棚において欠品状態が発生した場合に、店員が欠品が発生した商品に対応付けられている電子棚札１０を１８０度回転させて棚に取り付ける操作を行うことにより、電子棚札１０から電子棚札管理サーバ５０へ欠品が発生したことを示す情報を送信するようにしたため、簡単な操作で電子棚札１０から、電子棚札を管理する電子棚札管理サーバ５０へ電子棚札１０が管理する物品の管理情報を通知することができる。また、欠品状態が解消した場合には、店員が欠品が発生した商品に対応付けられていた電子棚札１０を回転させない状態に戻して棚に取り付ける操作を行うことにより、電子棚札１０から電子棚札管理サーバ５０へ欠品が解消したことを示す情報が送信されるため、簡単な操作で電子棚札１０から、電子棚札を管理する電子棚札管理サーバ５０へ電子棚札１０が管理する物品の管理情報を通知することができる。
【００４７】
なお、欠品が発生したことを示す情報を送信した電子棚札１０は、自己の動作モードを低消費電力モードにするようにしてもよい。これにより、欠品時においては表示変更はなく、電子棚札管理サーバ５０との通信頻度は少なくしても問題はないため、通信参加の頻度を下げることで低消費電力にすることができる。
【００４８】
また、前述した説明においては、欠品画面として、バーコード部分に取消線を引いた状態の画像を用いるようにしたが、バーコードを非表示にしたり（図８参照）、価格情報を非表示にしたり、白黒を反転させた画像としたり、または「入荷までしばらくお持ちください」などの任意のコメント表示を行うようにしてもよい。
【００４９】
また、前述した説明においては、姿勢判定部１５２は、１８０度回転させた場合（上下反転）に、欠品情報を送信するようにしたが、表裏反転（画面に平行で垂直に延びる軸回理に１８０度回転）の場合に、通信不良情報を送信したり、画面に垂直な軸回りに９０度回転（図８参照）の場合に、在庫不足情報を送信するようにしてもよい。すなわち、複数の姿勢状態に対して複数の送信するべき情報を関係付けておき、店員の操作に応じて、判定された姿勢を識別可能な識別番号を送信し、受信した姿勢を識別可能な識別番号に応じて、発生した状態を識別し、発生した状態に応じて記憶されている物品の管理情報を更新するようにしてもよい。
【００５０】
また、図２に示す姿勢判定部１５２は、電子棚札管理サーバ５０側にあってもよい。この場合、電子棚札１０は、姿勢センサ１２の出力を電子棚札管理サーバ５０へ送信すればよい。前述した説明においては、姿勢判定部１５２が、複数定義された姿勢状態のいずれであるかを判定する例を説明したが、判定するべき姿勢は１つであってもよい。また、姿勢判定部１５２は、姿勢状態の変化を判定する例を説明したが、取付状態の変化を判定するようにしてもよい。例えば、横方向や縦方向に平行移動するなどして直前の取り付け位置からずらして取り付けられた状態を判定し、この判定結果に応じて、後に続く処理を行うようにしてもよい。この場合、加速度センサなどで平行移動を検出する方法だけでなく、棚への取付部などに設けたスイッチなどによって検出するようにしてもよい。この場合において、姿勢判定では、電子棚札１０を縦や横にずらした場合も姿勢が変化したものと見なして後に続く処理動作を行う。
【００５１】
また、姿勢の変更操作が行われた場合に、電子棚札１０から電子棚札管理サーバ５０へ送信する情報は、欠品発生を示す情報に加え、ピッキング終了を示す情報、スポッタの取付終了を示す情報、棚卸しチェック終了を示す情報、在庫ニアを示す情報、古い商品在庫が完売などの売れ行きを示す情報、病院等においてのタスク（薬を飲むなどの行為）が終了したことを示す情報等であってもよい。これらの情報を送信した場合に、電子棚札管理サーバ５０から電子棚札１０に対して、必ずしも表示画面を変更するための画面情報を送信する必要はない。
【００５２】
なお、本発明は、上記の各実施形態に限定されるものではなく、本発明の趣旨を逸脱しない範囲で変更可能である。また、上記の実施形態では、スーパーマーケットやコンビニエンスストア等の小売店の棚に付ける電子棚札１０として説明したが、本発明は、電子棚札に限られるものではなく、小売店で販売される商品等の情報以外の情報を表示する情報表示装置として用いてもよい。例えば、倉庫等において、保管物を保管しておく棚や、保管物を収めた箱や、保管物自体に付けて、その保管物の内容について電子的に情報を表示するラベルや札として用いてもよい。
【００５３】
また、銀行等の書類を扱う業務において、用紙置き場に配置し、用紙の説明や残り枚数を表示する表示装置として用いてもよい。また、さらに、工場等において、作業員への作業指示を表示するパネルや部品を置く棚に付けて、部品の分類等の情報を電子的に表示するラベルや札として用いてもよい。
【００５４】
上述の電子棚札管理サーバ５０、電子棚札１０は内部に、コンピュータシステムを有している。そして、上述した情報表示システムにおける電子棚札１０に表示する情報を変更する処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【産業上の利用可能性】
【００５５】
物品に対応付けられている情報表示装置を使用して、発生した状態を管理サーバに対して通知することが不可欠な用途に適用できる。
【符号の説明】
【００５６】
１  情報表示システム
１０  複数の電子棚札
３０  中継器
４０  無線ＬＡＮアクセスポイント
５０  電子棚札管理サーバ
６０  ストアサーバ
７０  ＰＯＳレジスター装置（ＰＯＳレジ）
【図１】
0005431869.tif 000002
【図２】
0005431869.tif 000003
【図３】
0005431869.tif 000004
【図４】
0005431869.tif 000005
【図５】
0005431869.tif 000006
【図６】
0005431869.tif 000007
【図７】
0005431869.tif 000008
【図８】
0005431869.tif 000009